(57)【要約】【課題】二液混合包装袋に二種類の収納物を分離して収納し、収納物を使用する際にそれぞれの収納物を混合し、さらに二液混合包装袋を円筒状に形成し、片手で安定して収納物を注出できる二液混合包装袋を提供する。【解決手段】  樹脂フイルムを主体とした素材で形成され、両側端縁が接着シールされている包装袋に二つの収納部を有する包装袋であって、該包装袋の一方の側端縁接着シール部と他方の側端縁接着シール部を円筒状に重ね合わせて係止するための係止部が一方の側端縁接着シール部と他方の側端縁接着シール部に一対または一対以上具備する事を特徴とする二液混合包装袋である。【選択図】図１
2005239211.tif 000002
【特許請求の範囲】
【請求項１】
樹脂フイルムを主体とした素材で形成され、両側端縁が接着シールされている包装袋に二つの収納部を有する包装袋であって、該包装袋の一方の側端縁接着シール部と他方の側端縁接着シール部を円筒状に重ね合わせて係止するための係止部が一方の側端縁接着シール部と他方の側端縁接着シール部に一対または一対以上具備する事を特徴とする二液混合包装袋。
【請求項２】
前記包装袋の一方の側端縁接着シール部と他方の側端縁接着シール部を円筒状に重ね合わせて係止するための係止部が一方の側端縁接着シール部の最端に逆凸形状の突起部を具備し、他方の側端縁接着シール部の接着シール幅の略中央に逆凸形状の突起部を係止する切り込み線を具備する事を特徴とする請求項１の二液混合包装袋。
【請求項３】
前記包装袋の一方の側端縁接着シール部と他方の側端縁接着シール部を円筒状に重ね合わせて係止するための係止部は一方の側端縁接着シール部の接着シール幅の略中央に凸部を具備し、他方の側端縁接着シール部の接着シール幅の略中央に凸部を係止する凹部または凸部を係止する貫通孔を具備する事を特徴とする請求項１の二液混合包装袋。
【発明の詳細な説明】
【技術分野】
【０００１】
本発明は、一つの包装袋内に二種類の収納物を分離して収納し、使用時に二種類の収納物を混合し、収納物を注出する際に包装袋を円筒状に形成し、チューブ感覚で収納物を容易に注出出来る二液混合包装袋に関する。
【背景技術】
【０００２】
従来、顆粒または粉体あるいは固体または液体あるいはペースト状の収納物を収納する包装袋は二方シールまたは三方シール、四方シール、側面シールあるいは封筒貼りシール、合掌貼りシール、舟底シール等の平袋、あるいは図１０に示すように三方シールまたは四方シールなどの包装袋１０１の下部を前後に広げて底部１０２を形成し、さらに、底シール部を施して底部１０２に矩形状の扁平な底面を形成した自立包装袋１００あるいは図１１に示すように袋の表側面１０３と裏側面の底部１０４の内側にガセット部１０５を有する自立包装袋２００（スタンディング包装袋）等が用いられている。
【０００３】
また、これらの包装袋を使用して二種類の収納物が一つの包装袋に別々に収納されているほかに、プラスチック成型（ブローあるいはインジェクション）加工容器あるいはプラスチックチューブ容器またはアルミニウムチューブ容器・金属チューブ容器、真空あるい圧空成型加工による成型容器あるいは紙管容器等が用いられている。
【０００４】
上記、包装袋を用いて二種類の収納物を一つの包装袋に別々に収納する際にはどちらか一方の収納物を所定量包装袋に充填あるいは収納し、包装袋に収納された収納物の使用目的あるいは流通条件、保存期間、意匠性等によって包装袋の適宜の場所と適宜の形状に加熱シールあるいは超音波シールまたは高周波シール等で密封シールした後に、他方の収納物を充填あるいは収納し、収納物が収納された開口部分が加熱シールあるいは超音波シールまたは高周波シール等で密封シールされている。
【０００５】
また、さらに充填あるいは収納された収納物の保存期間または流通方法あるいは使用目的等によって、二種類の収納物が収納されている包装袋がレトルト殺菌やボイル殺菌等の加熱あるいは加熱加圧殺菌、または液体窒素等による急凍冷凍等が施される物などがあり、一般に積層構造のプラスチックフイルムが包装袋に用いられている。
【０００６】
また、上記包装袋に注出口を設け、二種類以上に分割して収納物が収納された後、保存するに際して収納している収納物の性状の変化を防止するために、オートクレープ滅菌を施し、用時に容易に混合し使用できる図１２に示す輸液容器３００（例えば、特許文献１参照。）が知られている。
【０００７】
また、図１３に示すようなプラスチックフイルムで形成した注出口部１０９を有し、各々の包装袋に分けて二種類の収納物１０７、１０８を収納包装し、使用時にそれぞれの収納物を混合して、容易に開封、混合、注出ができる二液混合包装袋４００（例えば、特許文献２参照。）も知られている。
【０００８】
また、図１４あるいは図１５に示すような真空あるい圧空成型により成型加工された容器１１０に二種類の収納物１１１、１１２が別々の凹部に収納され、収納物１１１、１１２が収納された開口部をプラスチックフイルム１１３等で密封し、注ぎだしや混合をより一層容易にした二液混合容器５００（例えば、特許文献３および４参照。）も知られている。また、これらの容器５００に収納されている収納物１１１、１１２を使用する際には図１８に示すように収納物１１１、１１２が収納されている容器に形成されている破線１
１４部分から折曲げられて収納している収納物１１１、１１２が別の開口部の広い容器１１５に押し出され別の容器１１５内で混ぜ合わられて通常使用されている。
【０００９】
さらに、図１６に示すようにチューブ状の二液混合容器６００として口頸部にキャップ１１６を嵌合させ、且つそのキャップ１１６へ起伏自在にノズル１１７を枢着させた二個の小容器連結体で形成し、該小容器連結体を傾けるとノズル１１７から注出された異種の収納物１１８、１１９が注出後直ちに合流混合する二液混合容器６００（例えば、特許文献５参照。）も知られている。
【００１０】
さらに、プラスチックチューブ成型容器の二液混合容器として二種類の収納物を別々のキャップ付チューブ成型容器に収納するか、あるいは図１７に示すようにキャップ付チューブ成型容器１２０とキャップ付小型ブロー成型容器１２１に二種類の収納物を別々に収納し、使用する際に開口部の広い別の容器にキャップ付チューブ成型容器１２０に収納されている収納物を所定量注出口から注出し、さらにキャップ付小型ブロー成型容器１２１に収納されている収納物を所定量取り出し、開口部の広い別の容器で混ぜ合わせるて使用する容器８００も多く使用されている。
【００１１】
また、チューブ成型容器と同様の円筒状容器として内面にアルミニウムやプラスチック層が形成されている紙管容器に二種類の収納物を別々に収納して使用する際に、開口部の広い別の容器に所定量移し替えて混ぜ合わせて使用する容器も使用されている。
【００１２】
また、さらにブローあるいはインジェクション成型加工容器として図１９に示すように第一容器１２３内に第２容器１２２を挿入し、開封が容易で、しかも、開封と同時に二液が混合するようにした二液混合容器７００（例えば、特許文献６参照。）も知られている。
【００１３】
上記、包装袋あるいはブローまたはインジェクション成型加工容器、プラスチックチューブ成型容器、アルミニウムチューブ容器または真空・圧空成型加工容器等に収納されている二種類の収納物として、例えば二液性の接着剤あるいはコーキング剤、アミノ酸とブドウ糖等の輸液剤、セメントと砂あるいは砂利等の建築・土木部材、ヘアカラーの溶液、シャンプーとリンス、バターとジャム、ウイスキーと水等の嗜好飲料、クリームと砂糖あるいはシロップ等、使用の直前に混ぜ合わせる必要のある二種類の粉体や顆粒または液体、ペースト状物等が収納されている。
【００１４】
特に輸液剤や二液性の接着剤等のように二種類を混ぜることにより反応あるいは硬化する、例えばアミノ酸とブドウ糖を配合して保存すると、黄変するいわゆるメイラード反応を生じたり、また、二液性の接着やコーキング剤のように二液を混ぜることにより硬化する収納物等、収納物を各々別の包装袋や容器等に包装しなければならない物が多々あり多くの包装方法あるいは包装技法が上記のように多く提案されている。
【００１５】
しかし、収納する収納物によって、使用する際に包装袋は片方の手で持ちにくく作業がし難い問題があり、作業によって専用の器具や道具に収納物を詰め替えて作業をしなければならない問題がある。
【００１６】
またはブローあるいはインジェクション成型加工容器、プラスチックチューブ成型容器、アルミニウムチューブ容器・金属チューブ容器、真空・圧空成型加工容器等は容器内で収納している収納物が混ぜ合わせにくいと言う問題がある。
【００１７】
さらに、収納物が収納されているブローあるいはインジェクション成型加工容器、プラスチックチューブ成型容器、アルミニウムチューブ容器・金属チューブ容器、真空・圧空
成型加工容器等は収納物が使用された後の廃棄処理等の問題や、使用した専用の器具または道具の後処理等、色々な問題が発生している。
【００１８】
また、上記ブローあるいはインジェクション成型加工容器、真空・圧空成型加工容器、プラスチックチューブ成型容器、アルミニウムチューブ容器、紙管容器等は価格が高く、さらに収納物を収納する際の作業が煩雑で、且つ高価な充填包装機あるいは密封シール包装機等の専用機を使用しなければならず、包装コストが非常に高くなると言う問題がある。さらに、ブローあるいはインジェクション成型加工容器や真空・圧空成型加工容器等は非常に嵩張るために流通上の問題がある。
【００１９】
さらに、上記ブローあるいはインジェクション成型加工容器や真空・圧空成型加工容器、プラスチックチューブ成型容器、アルミニウムチューブ容器、紙管容器等に収納物を収納し、収納した収納物を使用する際には注出口を開封し、強い力で注出口から収納物を別の容器に移し替えて、さらに混ぜ合わせて使用しなければならない等、取り扱いが煩わしい欠点がある。
【００２０】
また、一つの包装袋に二種類の収納物を収納する際には収納物を仕切りる接着シール部を形成し、さらに収納物が収納された開口部を密閉するためのシール機等が少なくても必要であるが、ブローあるいはインジェクション成型加工容器や真空・圧空成型加工容器で使用するような高価な充填包装機あるいは密封シール包装機等の専用機を使用を使用する必要がない。しかし、収納している収納物を使用する際に収納物が液体やぺースト状の場合には上記したように包装袋が持ち難く、作業性が非常に悪い問題がある。
【００２１】
上記のように包装袋の二種類の収納物を混ぜ合わせた後、注出口や開口された箇所から収納物を注ぐ際にプラスチックチューブ成型容器あるいはアルミニウムチューブ容器、紙管容器等に比べて包装袋は持ち難く、握り難いために、握っている僅かな握力加減で収納物が飛び散ったり、あるいは注出口から出てくる収納物が切れたりして、一定の箇所に安定した状態で注いだり絞り出したりし難く。また収納物が液状の場合に包装袋が握り難いために握力加減が一定に保つことができず注出口や開口された箇所から液状の収納物が飛び散ったりする問題がある。
【００２２】
以下に先行技術文献を示す。
【特許文献１】特開平５−３１１５３号公報（第１頁）
【特許文献２】特開２００３−１６０１７６号公報（第１頁）
【特許文献３】実用新案登録第３０５９４７６号公報（第１頁）
【特許文献４】実用新案登録第３０５９８７３号公報（第１頁）
【特許文献５】特開平７−３１５４４８号公報（第１頁）
【特許文献６】特開平６−２７０９６９号公報（第１頁）
【発明の開示】
【発明が解決しようとする課題】
【００２３】
本発明は、上記従来の問題点に鑑み為されたもので、その目的とするところは、二方シールあるいは三方シールまたは四方シール、側面シールあるいは封筒貼りシール、合掌貼りシール、舟底シール等の平袋、あるいは三方シール袋または四方シール袋などの平袋の
下部を前後に広げて、底部に矩形状の扁平な底面を形成した自立包装袋あるいは袋の底部にガセット部を有する自立包装袋（スタンディング包装袋）等に二種類の収納物を分離して収納し、使用する際に二種類の収納物が容易に混ざり合い、さらに包装袋を円筒状に形成させ、片手で握り易くし、さらに絞ったり、注いだりし易いだけでなく安定して注出口や開口部から収納物が混ざり合って注出される安価で生産性の良い二液混合包装袋を提案する。
【００２４】
さらに、包装袋が専用の製袋加工機を用いることなく、公知の製袋加工機等を用いて、容易に生産できる二液混合包装袋である。
【課題を解決するための手段】
【００２５】
上記問題点を解決するために、まず本発明の請求項１に係る発明は、樹脂フイルムを主体とした素材で形成され、両側端縁が接着シールされている包装袋に二つの収納部を有する包装袋であって、該包装袋の一方の側端縁接着シール部と他方の側端縁接着シール部を円筒状に重ね合わせて係止するための係止部が一方の側端縁接着シール部と他方の側端縁接着シール部に一対または一対以上具備する事を特徴とする二液混合包装袋である。
【００２６】
次ぎに、本発明の請求項２に係る発明は、前記包装袋の一方の側端縁接着シール部と他方の側端縁接着シール部を円筒状に重ね合わせて係止するための係止部が一方の側端縁接着シール部の最端に逆凸形状の突起部を具備し、他方の側端縁接着シール部の接着シール幅の略中央に逆凸形状の突起部を係止する切り込み線を具備する事を特徴とする請求項１の二液混合包装袋である。
【００２７】
また、本発明の請求項３に係る発明は、前記包装袋の一方の側端縁接着シール部と他方の側端縁接着シール部を円筒状に重ね合わせて係止するための係止部が一方の側端縁接着シール部の接着シール幅の略中央に凸部を具備し、他方の側端縁接着シール部の接着シール幅の略中央に凸部を係止する凹部または凸部を係止する貫通孔を具備する事を特徴とする請求項１の二液混合包装袋である。
【発明の効果】
【００２８】
本発明は三方シールまたは四方シール、あるいは三方シール袋または四方シール袋など平袋の下部を前後に広げて、底部に矩形状の扁平な底面を形成した自立包装袋あるいは袋の底部にガセット部を有する自立包装袋（スタンディング包装袋）等各種包装形態の包装袋が使用でき、さらに一つの包装袋に別々に収納されている二種類の収納物を容易に且つ確実に混合でき、片手で安定して注出することができる。
【００２９】
また、従来、二液混合容器として使用されていたブローあるいはインジェクション成型加工容器または真空・圧空成型加工容器、プラスチックチューブ成型容器、アルミニウムチューブ容器または紙管容器のように収納されている収納物を別の容器に移し替えて混ぜ合わせる等の手間を要せず、二液混合包装袋が円筒状に形成されて開封するだけで二種類の収納物が混合されて注出されるために、大きな力を必要とせず、片方の手に握って容易に安定した状態で使用できる。
【００３０】
また、上記各種包装形態の包装袋が使用できる以外に本発明に使用される二液混合包装袋は公知の製袋包装機械あるいは充填包装機械等により容易に効率良く安価に作製することができる。
【００３１】
また、収納物を使用する際に平らな二液混合包装袋が容易に円筒状に形成され、プラスチックチューブ成型容器あるいはアルミニウムチューブ容器の感覚で、片手で握り易く形成されるために収納物が注出口から安定した状態で二種類の混合された収納物を適宜の場
所や位置に流し込んだり、詰め込んだり、注いだりすることができる。
【００３２】
さらに、平らな二液混合包装袋が容易に円筒状に形成され、片手で握り易い形状に形成されるために注出口の形状や形態あるいは大きさ等が二液混合包装袋を使用する目的にあったように形成したり、あるいは使用する目的の注出口に取り付ける注出口部材をセットすることにより、専用の器具や道具を使用せずに容易に安定した状態で目的とする作業を施行する事ができる。
【００３３】
また、平らな状態の二液混合包装袋に二種類の収納物が収納されているために、ブローあるいはインジェクション成型加工容器や真空・圧空成型加工容器、プラスチックチューブ成型容器、アルミニウムチューブ容器、紙管容器等に比べて嵩張らず流通コストが削減される。
【００３４】
さらに、二液混合包装袋は使用後の廃棄処理においてブローあるいはインジェクション成型加工容器または真空・圧空成型加工容器、プラスチックチューブ成型容器、アルミニウムチューブ容器、紙管容器等に比べて嵩張らないだけでなく、二液混合包装袋に使用する包装材料または注出口部材等によって全く廃棄処理に問題のない使い捨て二液混合包装袋も容易にできる。
【発明を実施するための最良の形態】
【００３５】
本発明の二液混合包装袋を実施の形態に沿って以下に図面を参照にしながら詳細に説明する。図１〜図９は本発明の一実施例を示す。本発明の二液混合包装袋に収納される収容物として、例えば、二液性の接着剤あるいはコーキング剤、ウイスキーと水等の嗜好飲料、粉末果実と水等の清涼飲料、固形あるいは顆粒または粉体真空乾燥等の食材と水あるいはアミノ酸とブドウ糖等の医薬・医療用輸液剤、砂入りセメントと急速凝固剤等の建築・土木部材、ヘアカラーの溶液あるいはシャンプーとリンス等の化粧雑貨品、バターとジャム、クリームと砂糖あるいはシロップ、粉と発酵品等の食品調理部材、粉体あるいは顆粒、固形栄養強化剤と液剤等の栄養健康飲料等、使用の直前に混ぜ合わせて用いられる物か、あるいは包装する際に混ぜ合わせて包装することのできない、例えば混ぜ合わせることで硬化したりあるいは保存中に変色が進んだりまたは変質を来たしたりするために一つの包装袋に別々に収納して包装しなければならない液体あるいは粉体、顆粒、固形、ペースト品等の何れの物も収納することができる。
【００３６】
また、本発明の二液混合包装袋を構成するヒートシール性を有す基材樹脂フイルムの樹脂として、例えば低密度ポリエチレン、中密度ポリエチレン、高密度ポリエチレン、綿状低密度ポリエチレン、ポリプロピレン、エチレンープロピレン共重合体、エチレンー酢酸ビニル共重合体、アイオノマー樹脂、エチレンーアクリル酸エチル共重合体、エチレンーアクリル酸またはメタクリル酸共重合体、メチルペンテンポリマー、ポリブテン系樹脂、ポリ塩化ビニル系樹脂、塩化ビニルー塩化ビニルデン共重合体、ポリ（メタ）アクリル系樹脂、ポリアクリルニトリル系樹脂、ポリスチレン系樹脂、アクリロニトリルースチレン共重合体（ＡＳ系樹脂）、アクリロニトリルーブタジェンースチレン共重合体（ＡＢＳ系樹脂）、ポリエステル系樹脂、ポリエステル系樹脂、ポリアミド系樹脂、ポリカーボネート系樹脂、ポリビニルアルコール系樹脂、エチレンー酢酸ビニル共重合体のケン化物、ジエン系樹脂、ポリアセタール系樹脂、ポリウレタン系樹脂、ニトロセルロース、その他の公知の樹脂のフイルムないしシートから任意に選択して使用することができる。その他、例えば収納物等によって合成紙等も使用することができる。
【００３７】
また、二液混合包装袋に収納されている収納物あるいは収納物の保存期間または流通条件等によってバリアー性が必要とされる場合は、上記樹脂からなる基材樹脂フイルム上にアルミニウム箔、アルミニウム蒸着、セラミック蒸着を行ったフイルム、シート、あるい
はエチレンービニルアルコール共重合体、塩化ビニリデン、ナイロン等の高酸素バリアー性樹脂フイルム、環状オレフィンコポリマー等の高水分のバリアー性樹脂フイルム等を直接あるいは接着剤、アンカー剤で積層して使用される。
【００３８】
積層する方法としは、通常の包装材料を製造する際に使用するラミネート方法、例えば、ウエットラミネーション法、ドライラミネーション法、無溶剤型ラミネーション法、押し出しラミネーション法、Ｔダイ押し出し成形法、Ｔダイ共押し出しラミネーション法、インフレーション法、共押し出しインフレーション法等で行うことができかる。また積層を行う際には接着性を良くするためにコロナ処理あるいはオゾン処理、フレーム処理等の処理がフイルムないしシートに施される。
【００３９】
また、上記積層する際に、例えばポリエチレンイミン系、ポリブタジエン系、有機チタン系等のアンカーコーティング剤、あるいはポリウレタン系、ポリアクリル系、ポリエステル系、エポキシ系、ポリ酢酸ビニル系、セルロース系等のラミネート用接着剤等の公知のアンカーコート剤、接着剤等を任意に使用することができる。
【００４０】
次ぎに図１は本発明の二液混合包装袋の一実施形態の平面を示す平面図である。また、図１は本発明の一実施形態の注出口付二液混合包装袋１０である。注出口付二液混合包装袋１０は包装袋の上部中央の上側端縁の内側でキャップ１１が装着されている注出口部９が接合接着されている。
【００４１】
また、注出口付二液混合包装袋１０の注出口部９の注出口部材と注出口部９に装着されているキャップ１１に使用される樹脂は特に限定されないが、通常、ホモポリプロピレンあるいはランダム共重合ポリプロピレン（Ｒ−ＣＰＰ）、ブロック共重合ポリプロピレン（Ｂ−ＰＰ）、あるいは高密度ポリエチレン（ＨＤＰＥ）、低密度ポリエチレン（ＬＤＰＥ）、直鎖状ポリエチレン（Ｌ−ＬＤＰＥ）、あるいは汎用ポリスチレン（ＧＰＰＳ）、耐衝撃性ポリスチレン（ＨＩＰＳ）またはアクリロニトリル−ブタジエン−スチレン共重合体（ＡＢＳ）、ポリテレフタレート（ＰＥＴ）、アクリロニトリル−スチレン共重合体（ＡＳ）、ポリ塩化ビニリデン（ＰＶＤＣ）、ポリカーボネート（ＰＣ）、ポリクロロトリフルオロエチレン（ＰＣＴＦＥ）、ポリクロロトリフルオロエチレン（ＰＣＴＦＥ）、ポリフッ化ビニリデン（ＰＶＤＦ）等の公知の樹脂が用いられる。
【００４２】
また、注出口部９の注出口部材とキャップ１１は上記の樹脂を用いて射出成形加工により成される。射出成形加工で成形加工を行う際には上記の樹脂に可塑剤あるいは酸化防止剤、紫外線吸収剤等の安定剤、または無機顔料、有機顔料、染料等の着色剤あるいは滑剤、帯電防止剤、難燃剤等の助剤、などの成形助剤が適宜添加されて成形加工が施される。
【００４３】
また、注出口付二液混合包装袋１０の両端縁の適宜の箇所に注出口付二液混合包装袋１０を円筒状に形成し、係止させるために接着シールにより接着シール部５、６が形成されている一方の側端縁接着シール部６の最端の適宜の箇所に逆凸形状の突起部３を形成し、他方の側端縁接着シール部５の接着シール幅の略中央に逆凸形状の突起部３を係止させる切れ線係止部４が形成されている。
【００４４】
上記、注出口付二液混合包装袋１０の両端縁の接着シール部５、６の一方の側端縁接着シール部６に形成される逆凸形状の突起部３は接着シール部６の適宜の位置の接着シール部６の外側最端に形成される。さらに、逆凸形状の突起部３と係止する切れ線係止部４は他方の側端縁接着シール部５の接着シール幅の略中央の適宜の位置に形成され、切れ線の長さの上部と下部の内側方向の接着シール部５外側端縁が適宜の形状に切り欠けられ、切り欠け部１２が形成されている。
【００４５】
また、注出口付二液混合包装袋１０の上部注出口部９方向に上部収納部１が形成され収納物が収納されている。また、上部収納部１の下部方向の適宜の位置に側両端縁の接着シール部５、６をつなぐ易接着シール部７が形成され、さらに易接着シール部７の下部方向に下部収納部２が形成され、下部収納部２に収納物が収納され、下部下端縁に接着シール部８が形成されている。
【００４６】
また、キャップ１１が装着されている注出口部９と注出口付二液混合包装袋１０の内面基材樹脂フイルムとの接合接着は注出口付二液混合包装袋１０の側両端縁接着シール部５、６を形成する公知の製袋加工機上で施す事もできる。また専用の加工機械で接合接着することもできる。
【００４７】
また、接合接着する接着方法はヒートシールバー、回転シール等のヒートシール、インパルスシール、高周波シール、超音波シール、ホットジェットあるいはヒートシール剤またはホットメルト等の接着剤による接着方法もあるが注出口部９と注出口付二液混合包装袋１０の内側面に形成されている基材樹脂フイルムの材質等によって各種の接着方法あるいは接着剤が適宜選定される。
【００４８】
また、注出口付二液混合包装袋１０に収納されている二種類の収納物はキュップ１１が装着されている注出口部９が包装袋の上部中央の内面と接合接着された後、注出口付二液混合包装袋１０の下部開口部から上部収納部１に収納され、上部収納部１に収納物が収納された後、上部収納部１の下部方向の適宜の箇所で易接着シール部７が形成される。
【００４９】
さらに易接着シール部７が形成された下部方向の下部収納部２に収納物が収納され、さらに下部収納部２に収納物が収納され後、収納物が収納された下部収納部２の下部方向の開口部先端が接着シールされ接着シール部８が形成される。
【００５０】
上記、注出口付二液混合包装袋１０の上部収納部１と下部収納部２を仕切り、側両端縁の接着シール部５、６をつなぐ易接着シール部７は注出口付二液混合包装袋１０の収納物を使用する際に収納されている二種類の収納物が容易に混ざり合うために他の接着シール部５、６、８よりも接着強度を弱く施されている。接着強度は収納される収納物あるいは使用条件、流通条件等により適宜シール幅あるいは接着強度等が適宜選定される。
【００５１】
また、易接着シール部７の形成方法として、樹脂フイルムが異種の樹脂フイルムと接着すると熱接着強度が低くなる公知の性質を利用し、基材樹脂フイルムの間に異種の樹脂塗膜を形成し、ヒートシールすることにより易接着シール部７を形成することができる。例えばポリエチレンとポリプロピレン、ポリエチレンとポリブデン等のブレンド物は、その配合比を調整することにより、ポリエチレン、ポリプロピレン、ポリブデン基材フイルムに対して易接着シールが形成される。
【００５２】
さらに、注出口付二液混合包装袋１０に収納されている収納物を使用する際には、注出口部９のキュップ１１を取り外す前に収納されている二種類の収納物を混ぜ合わせ注出口付二液混合包装袋１０の一方の側端縁接着シール部６と他方の側端縁シール部５を円筒状に重ね合わせ、さらに一方の側端縁接着シール部６と他方の側端縁シール部５に具備されている係止部３、４を係止させた後、図９に示すように注出口部９に装着されてるキャップ１１を外し、片方の手で安定した状態で二種類の収納物が混ざって注出口部９から注出させることができる。
【００５３】
また、収納されている収納物によっては一方の側端縁接着シール部６と他方の側端縁シール部５を円筒状に重ね合わせ、さらに一方の側端縁接着シール部６と他方の側端縁シール部５に具備されている係止部３、４を係止する際に収納されている二種類の収納物を混
ぜ合わせすることもできる。
【００５４】
上記、収納されている二種類の収納物を混ぜ合わせる場合には上部あるいは下部のいずれかの収納部を指先等で押すことにより注出口付二液混合包装袋１０に形成されている易接着シール部７が剥離して上部収納部１と下部収納部２に収納している収納物が混ざり合う。
【００５５】
また、一方の側端縁接着シール部６と他方の側端縁シール部５に具備されている係止部３、４を係止する際に収納されている二種類の収納物を混ぜ合わせさせる場合には、易接着シール部７のシール幅あるいは接着強度等を適宜選定することにより成される。
【００５６】
また、注出口付二液混合包装袋１０に収納されていね収納物を混ぜ合わされて円筒状に重ね合わされ、さらに係止部で係止された後、例えば図８に示すヘアーカラーの溶液剤入り注出口付二液混合包装袋１０のように、収納物が使用される目的あるいは用途等により注出口部９に装着されてるキャップ１１に変えて使用する目的に適した付属部材２１を装着して使用することもできる。
【００５７】
次ぎに図２は本発明の二液混合包装袋の他の一実施形態の平面を示す平面図である。図２に示すように注出口部１３は包装袋に用いられている樹脂フイルムで形成されいる注出口付二液混合包装袋２０である。
【００５８】
樹脂フイルムで形成されいる注出口付二液混合包装袋２０は包装袋の上部最端に適宜の大きさの凸部が形成され、凸部の先端および凸部の側両端縁が接着シールにより形成されている以外、図１に示す注出口付二液混合包装袋１０と全く同様で、包装袋の側両端縁接着シール部５、６に円筒状に重ね合わせて係止する係止部３、４が樹脂フイルムで形成されいる注出口付二液混合包装袋２０にも形成されている。
【００５９】
また図には示していないが本発明の二液混合包装袋は注出口部を形成することなく、且つ適宜の包装形態の包装袋を用い係止部を具備して、二種類の収納物を収納し、使用する際に二種類の収納物を混ぜ合わせ二液混合包装袋の側端縁接着シール部を円筒状に重ね合わせ係止した後、適宜の箇所に開口部を施して収納されている収納物を注出して使用することもできる。
【００６０】
また、上記注出口部１３となる凸部の先端および凸部の両側端縁の接着シールは樹脂フイルムで形成されいる注出口付二液混合包装袋２０の両側端縁の接着シール部５，６を形成する際に同時にヒートシールあるいはインパルスシール、高周波シール、超音波シール、ホットジェット等により接着シールされ接着シール部１４が形成される。
【００６１】
また上記樹脂フイルムで形成されいる注出口付二液混合包装袋２０の両側端縁の接着シール部５、６を形成する際に両側縁接着シール部５、６に形成されている、逆凸形状の突起部３と逆凸形状の突起部３を係止する切れ線係止部４を同時に形成することもできる。
【００６２】
また、樹脂フイルムで形成されいる注出口付二液混合包装袋２０の注出口部１３となる凸部先端と凸部の両側端縁および樹脂フイルムで形成されいる注出口付二液混合包装袋２０の側両端縁接着シール部５、６が形成された後、穴や切れ目線等を打ち抜き加工する専用の打ち抜き加工機械を用いて係止部３、４を形成することができるが、本発明の樹脂フイルムで形成されいる注出口付二液混合包装袋２０は公知の製袋加工機を用いて作成することが容易にできる。
【００６３】
また、樹脂フイルムで形成されいる注出口付二液混合包装袋２０に二種類の収納物を収
納する場合は通常樹脂フイルムで形成されいる注出口付二液混合包装袋２０の両側端縁と凸部の先端および凸部の両側端縁が接着シールされている注出口付二液混合包装袋２０の下部開口部から一方の収納物が上部収納部１に収納され、上部収納部１の下部方向の適宜の箇所に易接着シール７による易接着シール部７が形成された後、他方の収納物が下部開口部から下部収納部２に収納され、収納物が収納された下部開口部が接着シールされ接着シール部８が形成される。
【００６４】
次ぎに図３は本発明の二液混合包装袋３０のまた他の一実施形態の平面を示す平面図である。図３は図１に示す注出口付二液混合包装袋１０と全く同様に包装袋の上部中央にキャップ１１が装着されている注出口部９を有する注出口付二液混合包装袋３０である。
【００６５】
注出口付二液混合包装袋３０は上記のように注出口部９の外側開口部を密封するキャップ１１が装着され、注出口部９が注出口付二液混合包装袋３０の上部中央部の上端縁の内側で基材樹脂フイルムと接合接着され、両側端縁に接着シール部５、６が形成され、一方の側端縁接着シール部６の適宜の箇所にシール幅の略中央に図５に示すように円形の凸部係止部１５を形成し、他方の側端縁接着シール部５に円形の凸部係止部１５を係止させる円形の凹部係止部１６が形成されている。
【００６６】
また、注出口付二液混合包装袋３０に収納されている収納物を使用する際に、収納している二種類の収納物を混ぜ合わせた後、注出口付二液混合包装袋３０を円筒状に形成するために一方の側端縁接着シール部６と他方の側端縁接着シール部５を重ね合わせ、さらに接着シール部５、６に形成されている円形の凸部係止部１５と円形の凹部係止部１６が係合し係止される。
【００６７】
上記、注出口付二液混合包装袋３０の一方の側端縁接着シール部６と他方の側端縁接着シール部５に形成される凸部と凹部は図３あるいは図５に示すような円形であっても、また矩形であっても良く形状は特に限定されるものでない。また、図６に示すように凹部が凸部を係止するよな貫通孔１９を接着シール部５に形成しても良い。
【００６８】
次ぎに、図４は本発明の二液混合包装袋のさらにまた他の一実施形態の平面を示す平面図である。図４に示すように上記キャップが装着されている注出口部が接合接着されている図１に示す注出口付二液混合包装袋１０と全く同様に包装袋の上部中央にキャップ１１が装着されている注出口部９を有する注出口付二液混合包装袋４０である。
【００６９】
本発明の注出口付二液混合包装袋４０は注出口付二液混合包装袋４０の一方の側端縁接着シール部６のシール幅の略中央に図７に示すように断面が半円形状の凸部係止部１７を側端縁接着シール部６の全長に形成し、他方の側端縁接着シール部５のシール幅の略中央に断面が半円形の凸部を係止させる断面が半円形状の凹部係止部１８を側端縁接着シール部５の全長に形成し、収納されている二種類の収納物を混ぜ合わせて、使用する際に一方の側端縁接着シール部６と他方の側端縁接着シール部５を重ね合わせ、さらに接着シール部５、６に形成されている断面が半円形状の凸部係止部１７と断面が半円形の凹部係止部１８が接着シール部５、６の全長でジッパーと同じ状態で係止される。
【００７０】
このために、注出口付二液混合包装袋４０はより一層強固なチューブ状の容器状態に形成されるために片方の手で円筒状の外面を安定して握り締めることができることにより注出口から常に一定の吐出圧で収納している収納物を吐出することができ、且つ注出口付二液混合包装袋４０に収納されている収納物を用いて目的とする施行作業の質と効率を向上させることができる。
【産業上の利用可能性】
【００７１】
本発明の二液混合包装袋は二種類の収納物を収納させるための包装袋として優れていることはもとより、寝具またはレジャー用の枕をはじめ広い分野に利用できる素晴らしい発明である。
【図面の簡単な説明】
【００７２】
【図１】本発明の二液混合包装袋の一実施形態の平面を示す平面図である。
【図２】本発明の二液混合包装袋の他の一実施形態の平面を示す平面図である。
【図３】本発明の二液混合包装袋のまた他の一実施形態の平面を示す平面図である。
【図４】本発明の二液混合包装袋のさらにまた他の一実施形態の平面を示す平面図である。
【図５】図３のＡ−Ａ′線の断面を示す断面図である。
【図６】本発明の二液混合包装袋の接着シール部に形成される他の係止部断面を示す断面図である。
【図７】図４のＢ−Ｂ′線の断面を示す断面図である。
【図８】本発明の二液混合包装袋の使用される状態の概略を示す説明図である。
【図９】本発明の二液混合包装袋の使用される状態の概略を示す説明図である。
【図１０】従来使用されている包装袋の外形の概略を示す概略図である。
【図１１】従来使用されている包装袋の外形の概略を示す概略図である。
【図１２】従来使用されている二液混合包装袋の概略を示す概略図である。
【図１３】従来使用されている二液混合包装袋の概略を示す概略図である。
【図１４】従来使用されている二液混合包装容器の概略を示す概略図である。
【図１５】従来使用されている二液混合包装容器の概略を示す概略図である。
【図１６】従来使用されている二液混合包装容器の概略を示す概略図である。
【図１７】従来使用されている二液混合包装容器の概略を示す概略図である。
【図１８】従来使用されている二液混合包装容器が使用される状態の概略を示す概略図である。
【図１９】従来使用されている二液混合包装容器の概略を示す概略図である。
【符号の説明】
【００７３】
１…上部収納部
２…下部収納部
３…逆凸形状の突起部
４…切れ線係止部
５…接着シール部
６…接着シール部
７…易接着シール部
８…接着シール部
９…注出口部
１０…注出口付二液混合包装袋
１１…キャップ
１２…切り欠け部
１３…注出口部
１４…接着シール部
１５…凸部係止部
１６…凹部係止部
１７…凸部係止部
１８…凹部係止部
１９…貫通孔
２０…樹脂フイルムで形成された注出口部付二液混合包装袋
２１…付属部材
３０…注出口付二液混合包装袋
４０…裏側面
【図１】
2005239211.tif 000003
【図２】
2005239211.tif 000004
【図３】
2005239211.tif 000005
【図４】
2005239211.tif 000006
【図５】
2005239211.tif 000007
【図６】
2005239211.tif 000008
【図７】
2005239211.tif 000009
【図８】
2005239211.tif 000010
【図９】
2005239211.tif 000011
【図１０】
2005239211.tif 000012
【図１１】
2005239211.tif 000013
【図１２】
2005239211.tif 000014
【図１３】
2005239211.tif 000015
【図１４】
2005239211.tif 000016
【図１５】
2005239211.tif 000017
【図１６】
2005239211.tif 000018
【図１７】
2005239211.tif 000019
【図１８】
2005239211.tif 000020
【図１９】
2005239211.tif 000021